(57)【要約】【課題】ＬＣコネクタに対して９０度の方向への引っ張り強度にも優れ、ＬＣコネクタのハウジングの拡張や破損を防ぐことができる光コネクタを提供すること。【解決手段】前端から後端に向かってスリット（１７）が形成される長尺状の後部ハウジング（１０）と、前記後部ハウジング（１０）の貫通孔（１００）に、その後端部（１２）から外部へ露出するように設置され後端部から前端部まで貫通する装着穴（２１）を有する固定チューブ（２０）と、前記後部ハウジング（１０）のスリット（１７）を完全に覆うように後部ハウジング（１０）の外周に被装され、後端部（５２）から前端部（５１）まで収容穴（５００）が穿設され、該二つの側面（５５）にそれぞれ前記係止凸部（１８）を係止するための係止凹部（５８）が形成される長尺状の前部ハウジング（５０）と、を備える。【選択図】図３
0003149685.tif 000002
【実用新案登録請求の範囲】
【請求項１】
前端部（１１）、後端部（１２）、上部（１３）、底部（１４）、及び対向する二つの側面（１５）を有すると共に、該後端部（１２）から前端部（１１）まで貫通孔（１００）が形成され、該上部（１３）と底部（１４）にそれぞれ、前端から後端に向かってスリット（１７）が形成され、該二つの側面（１５）にそれぞれ係止凸部（１８）が形成された長尺状の後部ハウジング（１０）と、
前記後部ハウジング（１０）の貫通孔（１００）に、その後端部（１２）から外部へ露出するように設置され後端部から前端部まで貫通する装着穴（２１）を有する固定チューブ（２０）と、
前記後部ハウジング（１０）の前端部（１１）から後部ハウジング（１０）におけるスリット（１７）を完全に覆うように後部ハウジング（１０）の外周に被装され、前端部（５１）、後端部（５２）、上部（５３）、底部、対向する二つの側面（５５）を有し、該後端部（５２）から前端部（５１）まで収容穴（５００）が穿設され、該二つの側面（５５）にそれぞれ前記係止凸部（１８）を係止するための係止凹部（５８）が形成される長尺状の前部ハウジング（５０）と、を備えることを特徴とする光コネクタ。
【請求項２】
前記前部ハウジング（５０）は、前記後部ハウジング（１０）の前部から後部に向かって半分以上を覆うことを特徴とする請求項１に記載の光コネクタ。
【請求項３】
前記スリット（１７）の長さが、前記後部ハウジング（１０）の長さの半分以下であることを特徴とする請求項２に記載の光コネクタ。
【請求項４】
前記後部ハウジング（１０）における後端部（１２）から、前記前部ハウジング（５０）における後端部（５２）を当接するための当接フランジ（１２１）が径方向に延出するように設けられることを特徴とする請求項３に記載の光コネクタ。
【請求項５】
前記後部ハウジング（１０）の当接フランジ（１２１）に解除ボタン（１９）が上方且つ前方に延出するように設けられると共に、前記前部ハウジング（５０）の上部（５３）にラッチ（５９）が上方且つ後方に延出するように設けられ、該ラッチ（５９）の後端は、該解除ボタン（１９）の前端の下方に位置することを特徴とする請求項４に記載の光コネクタ。
【請求項６】
前記固定チューブ（２０）における前端に複数の環状位置決め溝（２１１）が形成されると共に、前記後部ハウジング（１０）の内面に複数の環状リブ（１０１）が設けられ、該環状リブ（１０１）が環状位置決め溝（２１１）に係合されることによって、該固定チューブ（２０）が該後部ハウジング（１０）の内部に固定されることを特徴とする請求項５に記載の光コネクタ。
【請求項７】
前記前部ハウジング（５０）の収容穴（５００）に設置され、前端部、後端部、径方向に延出するフランジ部（３１１）、及び挿入穴を有する金属パイプ（３１）と、
前側端と後側端とを有し、該前側端が前記金属パイプ（３１）の後端から金属パイプ（３１）の挿入穴に挿入されると共に、該後側端が前記固定チューブ（２０）の装着穴（２１）に挿設される芯部チューブ（３２）と、
前記金属パイプ（３１）の前端から金属パイプ（３１）の挿入穴に挿入される、挿通孔（３５）を有する管状のフェルール（３３）とを含み、前記固定チューブ（２０）の装着穴（２１）に設置される位置決め部材（３０）と、
前記位置決め部材（３０）に環装され、両端がそれぞれ前記フランジ部（３１１）と固定チューブ（２０）の前端に当接されるスプリング（４０）と、をさらに備えることを特徴とする請求項１乃至６の何れか１項に記載の光コネクタ。
【考案の詳細な説明】
【技術分野】
【０００１】
本考案は、特に光ファイバーを接続する光コネクタに関するものである。
【背景技術】
【０００２】
デジタル通信設備には光ファイバーが普遍的に使用されており、光ファイバーにより光を安定的に且つ低損失で長距離伝送することが出来る。
現在、光ファイバーコネクタとして一般に周知されているのは、ルーセントテクノロジー（Lucent Technologies）社が開発したＬＣコネクタ（ルーセントコネクタ）である。
【０００３】
従来のＬＣコネクタは、縦長の中空体であり、光ファイバーを挿入するための貫通孔が形成された後部ハウジングと、該後部ハウジングに被嵌し且つ覆い、後部開口、上部、底部、光ファイバーを挿入するための挿入孔を有する前部ハウジングと、該貫通孔と挿入孔に設置し、光ファイバーを前部ハウジングと後部ハウジングの内部に位置決めするフェルールとを備え、前記後部ハウジングは、光コードに接続することができ、該前部ハウジングの上部と底部にそれぞれ後部開口までスリットが形成されることにより、その後部開口が一時的に拡張するので、該後部ハウジングを容易に収容することができる。
【０００４】
しかしながら、前部ハウジングは、上述したようにスリットを有するので、光コードが前記前部ハウジングと後部ハウジングに垂直する方向に、即ちＬＣコネクタに対して９０度の方向に引っ張られると、後部ハウジングによる横方向への作用力が発生して拡張し、破れ易くなる。
【０００５】
また、図１に示すように、米国特許出願番号第６２９３７１０号「改良式ＬＣコネクタ」は、ＬＣコネクタ（９）を有し、該ＬＣコネクタ（９）は、後部開口、及び上部及び底部のそれぞれに形成されたスリット（９１１）を有する前部ハウジング（９１）、及び後部ハウジング（９２）を備え、該後部ハウジング（９２）は、該スリット（９１１）の一部を覆うように前部ハウジング（９１）の後部開口に被装され、それによりスリット（９１１）が拡張することによる破損を防止する。
【考案の概要】
【考案が解決しようとする課題】
【０００６】
しかしながら、前記した従来のＬＣコネクタは、スリット（９１１）が完全に後部ハウジング（９２）に覆われておらず、即ち一部が後部ハウジング（９２）の内側に、一部が後部ハウジング（９２）の外側に位置するので、光コードがＬＣコネクタ（９）に対して９０度の方向に引っ張られると、外力に耐え切れず該スリット（９１１）が破損してしまう。従って、該従来のＬＣコネクタ（９）は引っ張り強度に優れなく、耐用性も低い。
【０００７】
本考案は以上の点に鑑みて成されたもので、ＬＣコネクタに対して９０度の方向への引っ張り強度に優れ、外力によるＬＣコネクタのハウジングの拡張や破損を防ぐことができる光コネクタを提供することを目的としている。
【課題を解決するための手段】
【０００８】
本願の第１の考案は、前端部（１１）、後端部（１２）、上部（１３）、底部（１４）、及び対向する二つの側面（１５）を有すると共に、該後端部（１２）から前端部（１１）まで貫通孔（１００）が形成され、該上部（１３）と底部（１４）にそれぞれ、前端から後端に向かってスリット（１７）が形成され、該二つの側面（１５）にそれぞれ係止凸部（１８）が形成される長尺状の後部ハウジング（１０）と、
前記後部ハウジング（１０）の貫通孔（１００）に、その後端部（１２）から外部へ露出するように設置され後端部から前端部まで貫通する装着穴（２１）を有する固定チューブ（２０）と、
前記後部ハウジング（１０）の前端部（１１）から後部ハウジング（１０）におけるスリット（１７）を完全に覆うように後部ハウジング（１０）の外周に被装され、前端部（５１）、後端部（５２）、上部（５３）、底部、対向する二つの側面（５５）を有し、該後端部（５２）から前端部（５１）まで収容穴（５００）が穿設され、該二つの側面（５５）にそれぞれ前記係止凸部（１８）を係止するための係止凹部（５８）が形成される長尺状の前部ハウジング（５０）と、を備えることを特徴とする光コネクタ、を提供する。
【０００９】
本願の第２の考案は、前記前部ハウジング（５０）は、前記後部ハウジング（１０）の前部から後部に向かって半分以上を覆うことを特徴とする第１の考案に記載の光コネクタ、を提供する。
【００１０】
本願の第３の考案は、前記スリット（１７）の長さが、前記後部ハウジング（１０）の長さの半分以下であることを特徴とする第２の考案に記載の光コネクタ、を提供する。
【００１１】
本願の第４の考案は、前記後部ハウジング（１０）における後端部（１２）から、前記前部ハウジング（５０）における後端部（５２）を当接するための当接フランジ（１２１）が径方向に延出するように設けられることを特徴とする第３の考案に記載の光コネクタ、を提供する。
【００１２】
本願の第５の考案は、前記後部ハウジング（１０）の当接フランジ（１２１）に解除ボタン（１９）が上方且つ前方に延出するように設けられると共に、前記前部ハウジング（５０）の上部（５３）にラッチ（５９）が上方且つ後方に延出するように設けられ、該ラッチ（５９）の後端は、該解除ボタン（１９）の前端の下方に位置することを特徴とする第４の考案に記載の光コネクタ、を提供する。
【００１３】
本願の第６の考案は、前記固定チューブ（２０）における前端に複数の環状位置決め溝（２１１）が形成されると共に、前記後部ハウジング（１０）の内面に複数の環状リブ（１０１）が設けられ、該環状リブ（１０１）が環状位置決め溝（２１１）に係合されることによって、該固定チューブ（２０）が該後部ハウジング（１０）の内部に固定されることを特徴とする第５の考案に記載の光コネクタ、を提供する。
【００１４】
本願の第７の考案は、前記前部ハウジング（５０）の収容穴（５００）に設置され、前端部、後端部、径方向に延出するフランジ部（３１１）、及び挿入穴を有する金属パイプ（３１）と、
前側端と後側端とを有し、該前側端が前記金属パイプ（３１）の後端から金属パイプ（３１）の挿入穴に挿入されると共に、該後側端が前記固定チューブ（２０）の装着穴（２１）に挿設される芯部チューブ（３２）と、
前記金属パイプ（３１）の前端から金属パイプ（３１）の挿入穴に挿入される、挿通孔（３５）を有する管状のフェルール（３３）とを含み、前記固定チューブ（２０）の装着穴（２１）に設置される位置決め部材（３０）と、
前記位置決め部材（３０）に環装され、両端がそれぞれ前記フランジ部（３１１）と固定チューブ（２０）の前端に当接されるスプリング（４０）と、をさらに備えることを特徴とする第１の考案乃至第６の考案の何れか１項に記載の光コネクタ、を提供する。
【考案の効果】
【００１５】
本考案は上記の課題を解決するものであり、前部ハウジングが後部ハウジングの殆どを覆い、この時、スリットを完全に覆うので、光コネクタに接続された光コードが光コネクタに対して９０度の方向に引っ張られても、前部ハウジングにより後部ハウジングにおけるスリットの破損を防ぐことができ、更に、前部ハウジングの後端はスリット上に位置していないことから、光コードが引っ張られても前部ハウジングの後端において発生する作用力によりスリットを変形させることはないので、光コネクタの引っ張り強度を向上させて使用寿命を延ばすことができる。
【図面の簡単な説明】
【００１６】
【図１】従来の光コネクタを示す斜視図である。
【図２】本考案に係る光コネクタの斜視図である。
【図３】本考案に係る光コネクタの分解斜視図である。
【図４】本考案に係る光コネクタの部分側面拡大断面図である。
【図５】本考案に係る光コネクタに光コードが接続された状態を示す拡大側面図である。
【考案を実施するための最良の形態】
【００１７】
以下、添付図面を参照して本考案の好適な実施の形態を詳細に説明する。尚、下記の実施例は、本考案の好適な実施の形態を示したものにすぎず、本考案の技術的範囲は、下記実施例そのものに何ら限定されるものではない。
【００１８】
図２は本考案に係る光コネクタの斜視図であり、図３は本考案に係る光コネクタの分解斜視図であり、図４は本考案に係る光コネクタの部分側面拡大断面図であり、図５は本考案に係る光コネクタに光コードが接続された状態を示す拡大側面図である。
【００１９】
図２、図３及び図５に示すように、本考案に係る光コネクタは、ルーセントテクノロジー社が制定したＬＣコネクタに準拠する光コネクタであり、光ファイバー（図示せず）を有する光コードに適用するものである。
前記光コネクタは、後部ハウジング（１０）、固定チューブ（２０）、前部ハウジング（５０）、位置決め部材（３０）、及びスプリング（４０）を備えるものである。
【００２０】
図３及び図４に示すように、該後部ハウジング（１０）は、長尺状を呈すると共に、前端部（１１）、後端部（１２）、上部（１３）、底部（１４）、対向する二つの側面（１５）を有し、該後端部（１２）から前端部（１１）まで貫通孔（１００）が形成され、該上部（１３）と底部（１４）にそれぞれ、前端から後端に向かって、長さが後部ハウジング（１０）の長さの半分以下であるスリット（１７）が形成され、該スリット（１７）により、該前端部（１１）が可撓性を有する左右部分に分けられ、該左右部分を互いに近寄せることで該前端部（１１）を収縮させる。
【００２１】
また、前記二つの側面（１５）にそれぞれ係止凸部（１８）が設けられ、前記後端部（１２）から当接フランジ（１２１）が径方向に延出するように設けられると共に、該当接フランジ（１２１）に可撓性を有する解除ボタン（１９）が上方且つ前方に延出するように設けられ、更に前記後部ハウジング（１０）の内面に環状リブ（１０１）が形成される。
【００２２】
前記固定チューブ（２０）は、前記後部ハウジング（１０）の貫通孔（１００）に、その後端部（１２）から外部へ露出するように設置され、該後端部から前端部まで貫通する装着穴（２１）を有し、該前端に、前記環状リブ（１０１）に係合させることによって該固定チューブ（２０）を該後部ハウジング（１０）の内部に固定させる複数の環状位置決め溝（２１１）が形成される。
【００２３】
前記前部ハウジング（５０）は、長尺状を呈すると共に、前記後部ハウジング（１０）の前端部（１１）から該後部ハウジング（１０）におけるスリット（１７）を完全に覆うように、且つ該後部ハウジング（１０）の長さの半分以上を覆うように被装される。更に前部ハウジング（５０）は、前端部（５１）、後端部（５２）、上部（５３）、底部、対向する二つの側面（５５）を有する。該後端部（５２）から前端部（５１）まで収容穴（５００）が穿設され、該二つの側面（５５）にそれぞれ前記係止凸部（１８）を係止するための係止凹部（５８）が形成される。そして、該後端部（５２）を前記後部ハウジング（１０）における当接フランジ（１２１）に当接させて、前記前部ハウジング（５０）を後部ハウジング（１０）に被嵌する際には、該後部ハウジング（１０）がスリット（１７）により分けられた左右部分の接近により前端（１１）が収縮して前部ハウジング（５０）が被嵌可能となる。
【００２４】
また、前記前部ハウジング（５０）における上部（５３）には、可撓性を有する光ソケットに掛合可能なラッチ（５９）が上方且つ後方に延出するように設けられ、該ラッチ（５９）により光コネクタ（１）を該光ソケットに接続する。更に、前記ラッチ（５９）の後端は、前記解除ボタン（１９）の前端下方に位置し、該解除ボタン（１９）を押圧すると、該ラッチ（５９）も押され、光コネクタ（１）を該光ソケットから離間させることができる。
【００２５】
前記位置決め部材（３０）は、前記前部ハウジング（５０）の収容穴（５００）に設置され、前端部、後端部、径方向に延出するフランジ部（３１１）、及び挿入穴を有する金属パイプ（３１）と、
前側端と後側端とを有し、該前側端が前記金属パイプ（３１）の後端から金属パイプ（３１）の挿入穴（符号なし）に挿入されると共に、該後側端が前記固定チューブ（２０）の装着穴（２１）に挿設される、光ファイバーを収容するための芯部チューブ（３２）と、
前記金属パイプ（３１）の前端から金属パイプ（３１）の挿入穴に挿入される、光ファイバーの前端を収容するための挿通孔（３５）を有する管状のフェルール（３３）とを含む。
前記フランジ部（３１１）は、ペンチなどの手工具により扱いやすくするために、六角形または多角形に形成される。
【００２６】
前記スプリング（４０）は、前記位置決め部材（３０）に環装され、両端がそれぞれ前記金属パイプ（３１）のフランジ部（３１１）と固定チューブ（２０）の前端に当接される。
【００２７】
本考案は上記した構成を有するので、光コネクタに接続された光コードが光コネクタに対して９０度の方向に引っ張られても、後部ハウジングにおけるスリットが前部ハウジングに完全に覆われていることから、破損を防ぐことができるので、光コネクタの引っ張り強度の向上により、使用寿命を大幅に延ばすことができる。
【符号の説明】
【００２８】
１          光コネクタ
１０        後部ハウジング
１００      貫通孔
１０１      環状リブ
１１        前端部
１２        後端部
１２１      当接フランジ
１３        上部
１４        底部
１５        側面
１７        スリット
１８        係止凸部
１９        解除ボタン
２０        固定チューブ
２１        装着穴
２１１      環状位置決め溝
３０        位置決め部材
３１        金属パイプ
３１１      フランジ部
３２        芯部チューブ
３３        フェルール
４０        スプリング
５０        前部ハウジング
５００      収容穴
５１        前端部
５２        後端部
５３        上部
５５        側面
５８        係止凹部
５９        ラッチ
９          ＬＣコネクタ
９１        前部ハウジング
９１１      スリット
９２        後部ハウジング
【図１】
0003149685.tif 000003
【図２】
0003149685.tif 000004
【図３】
0003149685.tif 000005
【図４】
0003149685.tif 000006
【図５】
0003149685.tif 000007